(57)【要約】      （修正有）【課題】低コスト化及び省スペース化が可能であり、しかも原稿移動読取モード時に、光源の温度が上昇することに伴う光源の光量低下や光量のばらつき、及び読取位置近傍に配設された部材の温度が上昇することに伴う弊害を回避することが可能な画像読取装置を提供することを課題とする。【解決手段】原稿の画像を光源によって照明しつつ、当該原稿の画像を読取る走査光学系を所定の読取位置に停止させた状態で、前記読取位置を一定の速度で通過するように前記原稿を搬送しつつ、当該原稿の画像を読取る原稿移動読取モードを備えた画像読取装置において、前記読取装置筐体には、前記原稿移動読取モード時における読取位置に停止した前記光源を含む走査ユニットに接触し、当該光源を含む走査ユニットの熱を読取装置筐体へと伝達する熱伝導部材を設けるように構成して課題を解決した。【選択図】図１
2008079101.tif 000002
【特許請求の範囲】
【請求項１】
原稿の画像を光源によって照明しつつ、当該原稿の画像を読取る走査光学系を所定の読取位置に停止させた状態で、前記読取位置を一定の速度で通過するように前記原稿を搬送しつつ、当該原稿の画像を読取る原稿移動読取モードを備えた画像読取装置において、
前記読取装置筐体には、前記原稿移動読取モード時における読取位置に停止した前記光源を含む走査ユニットに接触し、当該光源を含む走査ユニットの熱を読取装置筐体へと伝達する熱伝導部材を設けたことを特徴とする画像読取装置。
【請求項２】
前記熱伝導部材は、前記原稿移動読取モード時における読取位置に停止した前記光源を含む走査ユニットを、当該読取位置に保持する機能を備えたことを特徴とする請求項１に記載の画像読取装置。
【請求項３】
前記熱伝導部材は、前記原稿移動読取モード時における読取位置に設けられ、かつ前記光源を含む走査ユニットを副走査方向に沿って移動自在に案内するガイドレールの近傍において、当該光源を含む走査ユニットを原稿側へ近接させるように突出したことを特徴とする請求項１又は２に記載の画像読取装置。
【発明の詳細な説明】
【技術分野】
【０００１】
この発明は、電子写真方式等を採用した複写機やプリンター、あるいはファクシミリ等の画像形成装置などに使用される画像読取装置に関し、特に原稿の画像を読み取る読取手段を所定の位置に停止させた状態で、原稿を一定の速度で搬送しつつ、当該原稿の画像を読取手段によって読み取る原稿移動読取モードを備えた画像読取装置に関するものである。
【背景技術】
【０００２】
【特許文献１】特開２００４−２２８７０６号公報
【０００３】
従来、この種の電子写真方式等を採用した複写機やプリンター、あるいはファクシミリ等の画像形成装置に使用される画像読取装置としては、原稿をプラテンガラス上に載置した状態で、当該原稿の画像を光源によって照明し、原稿の画像を１枚のフルレートミラーと２枚のハーフレートミラーによって光路を折り返した状態で、結像レンズを介してＣＣＤ等からなる読取素子上に結像させ、光源やフルレートミラー及びハーフレートミラーからなる走査光学系を移動させることにより、原稿の画像を読み取るように構成されている。
【０００４】
また、上記画像読取装置では、原稿をプラテンガラス上に載置した状態で読み取る原稿固定読取モードの他に、光源やフルレートミラー及びハーフレートミラーからなる走査光学系を所定の読取位置に停止させた状態で、原稿を一定の速度で搬送しつつ、当該原稿の画像を停止した走査光学系を介して読み取る原稿移動読取モードを備えるように構成されている場合が多い。
【０００５】
ところで、上記の如く構成される画像読取装置では、原稿移動読取モードで原稿の画像を読み取る際に、走査光学系が所定の読取位置に停止した状態で、当該原稿の画像を走査光学系を介して読み取ることになるため、所定の位置に停止した光源が原稿の読取位置を常時照明することになり、光源自体の温度が上昇し、当該光源の温度上昇に伴って発光量が低下したり不均一となるとともに、原稿の読取位置近傍の温度が上昇するという問題点を有していた。
【０００６】
そこで、かかる問題点を解決し得る技術としては、例えば、特開２００４−２２８７０６号公報等に開示された技術が既に提案されている。
【０００７】
この特開２００４−２２８７０６号公報に係る画像読取装置は、照明光源を含む読取光学系からの光束で原稿面上の画像情報を照明し、該画像情報を結像手段を用いて読取手段面上に結像させて読み取る画像読取装置において、
該画像情報を静止させた状態で、該読取光学系を副走査方向に走査させて読取る圧板原稿読みモードと、読取光学系を静止させた状態で、該画像情報を副走査方向に走査させるて読取る原稿流し読みモードとを有し、
該原稿流し読みモードのとき、該照明光源からの光束のうち該原稿面と反対側に放射される光束を、該原稿面側へ反射させる増反射部材と、照明光源の発する熱を外部へ放熱する放熱手段とを有し、該放熱手段を該増反射部材と一体的に設けるように構成したものである。
【発明の開示】
【発明が解決しようとする課題】
【０００８】
しかしながら、上記従来技術の場合には、次のような問題点を有している。すなわち、上記特開２００４−２２８７０６号公報に係る画像読取装置の場合には、原稿流し読みモード時にのみ使用する、当該原稿流し読みモード専用の増反射部材と、当該増反射部材と一体的に設けられた放熱手段を必要とするため、画像読取装置を構成する部品点数が増加し、低コスト化及び省スペース化の障害となるという問題点を有していた。
【０００９】
そこで、この発明は、上記従来技術の問題点を解決するためになされたものであり、その目的とするところは、低コスト化及び省スペース化が可能であり、しかも原稿移動読取モード時に、光源の温度が上昇することに伴う光源の光量低下や光量のばらつき、及び読取位置近傍に配設された部材の温度が上昇することに伴う弊害を回避することが可能な画像読取装置を提供することにある。
【課題を解決するための手段】
【００１０】
すなわち、請求項１に記載された発明は、原稿の画像を光源によって照明しつつ、当該原稿の画像を読取る走査光学系を所定の読取位置に停止させた状態で、前記読取位置を一定の速度で通過するように前記原稿を搬送しつつ、当該原稿の画像を読取る原稿移動読取モードを備えた画像読取装置において、
前記読取装置筐体には、前記原稿移動読取モード時における読取位置に停止した前記光源を含む走査ユニットに接触し、当該光源を含む走査ユニットの熱を読取装置筐体へと伝達する熱伝導部材を設けたことを特徴とする画像読取装置である。
【００１１】
また、請求項２に記載された発明は、前記熱伝導部材は、前記原稿移動読取モード時における読取位置に停止した前記光源を含む走査ユニットを、当該読取位置に保持する機能を備えたことを特徴とする請求項１に記載の画像読取装置である。
【００１２】
さらに、請求項３に記載された発明は、前記熱伝導部材は、前記原稿移動読取モード時における読取位置に設けられ、かつ前記光源を含む走査ユニットを副走査方向に沿って移動自在に案内するガイドレールの近傍において、当該光源を含む走査ユニットを原稿側へ近接させるように突出したことを特徴とする請求項１又は２に記載の画像読取装置である。
【発明の効果】
【００１３】
この発明によれば、低コスト化及び省スペース化が可能であり、しかも原稿移動読取モード時に、光源の温度が上昇することに伴う光源の光量低下や光量のばらつき、及び読取位置近傍に配設された部材の温度が上昇することに伴う弊害を回避することが可能な画像読取装置を提供することができる。
【発明を実施するための最良の形態】
【００１４】
以下に、この発明の実施の形態について図面を参照して説明する。
【００１５】
実施の形態１
図２はこの発明の実施の形態１に係る画像読取装置の全体を示す断面構成図である。
【００１６】
図２において、１は画像読取装置の筐体を示すものであり、この画像読取装置筐体１は、内面が金属製のフレーム２によって構成され、上端面が大きく開口した略直方体形状の箱体状に形成されている。上記画像読取装置筐体１の上端面には、原稿３を載置する面積の大きな第１のプラテンガラス４が配設されているとともに、当該画像読取装置筐体１の上部には、第１のプラテンガラス４上に原稿３を押圧するプラテンカバーを兼ねた自動原稿搬送装置５（ＡＤＦ：ａｕｔｏ  ｄｏｃｕｍｅｎｔ  ｆｅｅｄｅｒ）が開閉自在に配設されている。また、上記画像読取装置筐体１の上端面には、第１のプラテンガラス４の左側の端部に、原稿３を一定の速度で搬送しつつ、当該原稿３の画像を読み取るための幅の狭い第２のプラテンガラス６が配設されている。さらに、上記第２のプラテンガラス６と第１のプラテンガラス４との間には、当該第１のプラテンガラス４上に載置される原稿３の一端を付き当てて位置決めするための付き当て部材７が取り付けられている。
【００１７】
上記自動原稿搬送装置５は、図２に示すように、プラテンカバー部８の左側の端部に、原稿３を自動的に搬送する原稿搬送部９を備えている。この原稿搬送部９は、原稿載置トレイ１０上に載置された原稿３が、給紙ロール１１によって給送されるとともに、ナジャーロール１２とフィードロール１３によって１枚ずつ分離した状態で給紙され、当該原稿３は、原稿搬送路１４に沿って配設された複数組の搬送ロール１５、１６、１７によって一定の速度で搬送されつつ、第２のプラテンガラス６上を通過する際に、後述するように走査光学系によって読み取られるようになっている。上記搬送ロール１５、１６、１７によって搬送された原稿３は、排出ロール１８によってプラテンカバー部８の上面にもうけられた排出トレイ１９上に排出される。
【００１８】
また、上記原稿３の表裏両面の画像を読み取る場合には、片面の画像が読み取られた原稿３を排出ロール１８によってそのまま排出トレイ１９上に排出せずに、原稿３の後端を排出ロール１８によって挟持している間に、当該排出ロール１８を逆転させて表裏反転経路２０へと導入し、この表裏反転経路２０を介して原稿３の表裏を反転した状態で、搬送ロール１５、１６、１７によって一定の速度で搬送されつつ、第２のプラテンガラス６上を通過する際に、原稿３の裏面の画像が後述するように走査光学系によって読み取られるようになっている。
【００１９】
さらに、上記画像読取装置筐体１の内部には、図２に示すように、自動原稿搬送装置５のプラテンカバー部８によって押圧された状態で、プラテンガラス４上に載置された原稿３を照明するキセノンランプ等からなる照明光源２１と、原稿３からの反射光像を水平方向に反射するフルレートミラー２２とが搭載された第１走査ユニット２３が配設されているとともに、前記フルレートミラー２２によって反射された原稿３の反射光像を折り返すように反射する２枚のハーフレートミラー２４、２５が取り付けられた第２走査ユニット２６が配設されている。上記第１及び第２走査ユニット２３、２６は、図１に示すように、副走査方向に沿って配設されたガイドレール２７によって、画像読取装置に対して水平方向に沿ってスライド自在に取り付けられている。また、上記第１及び第２走査ユニット２３、２６は、図示しない駆動モータによって回転駆動される駆動プーリと、当該駆動プーリによって移動する張架ワイヤーとによって、第１走査ユニット２３がスキャン方向に沿って所定の移動速度Ｖで移動可能となっているとともに、第２走査ユニット２６がスキャン方向に沿って所定の移動速度（１／２）Ｖで移動可能となっている。その結果、上記第１及び第２走査ユニット２３、２６は、第１のプラテンガラス４上に載置された原稿３の画像を、光路長を変化させずに走査露光するように構成されている。
【００２０】
また、上記画像読取装置は、図２に示すように、原稿３の画像を光源によって照明しつつ、当該原稿３の画像を読取る走査光学系を所定の読取位置に停止させた状態で、前記読取位置を一定の速度で通過するように前記原稿３を搬送しつつ、当該原稿３の画像を読取る原稿移動読取モードを備えている。この原稿移動読取モード時においては、第１及び第２走査ユニット２３、２６は、図２に示すように、第１走査ユニット２３が第２のプラテンガラス６の直下に位置する読取位置で停止し、当該第２のプラテンガラス６上を一定の速度で移動する原稿３の画像を読み取るようになっている。
【００２１】
さらに、上記画像読取装置筐体１の内部には、図２に示すように、第１及び第２走査ユニット２３、２６によって走査露光される原稿３の画像を結像する結像レンズ２７が固定した状態で配設されているとともに、当該結像レンズ２７によって結像される原稿３の画像を読み取る読取手段としてのＣＣＤセンサー２８が固定した状態で配設されている。そして、上記原稿３の画像は、走査光学系２９を介してＣＣＤセンサー２８上に走査露光され、当該ＣＣＤセンサー２８によって所定のドット密度（例えば、１２００ｄｐｉや２４００ｄｐｉ）で読み取られるように構成されている。
【００２２】
上記ＣＣＤセンサー２８は、ＣＣＤプリント基板３０に取り付けられており、当該ＣＣＤプリント基板３０に設けられた図示しない駆動回路によって駆動されるように構成されている。上記ＣＣＤセンサー２８によって読み取られた原稿３の画像は、例えば、赤（Ｒ）、緑（Ｇ）、青（Ｂ）（各８ｂｉｔ）の３色の画像データとして画像処理／制御回路３１に送られ、当該画像処理／制御回路３１では、原稿３の画像データに対して、シェーディング補正、位置ズレ補正、明度／色空間変換、ガンマ補正、枠消し、色／移動編集等の所定の画像処理が施され、イメージデータが出力される。また、上記画像処理／制御回路３１は、第１及び第２走査ユニット２３、２６を駆動させる図示しない駆動モータを制御することによって、原稿３の画像を所定の倍率で読み取ることが可能となっている。
【００２３】
そして、上記の如く画像処理／制御回路３１で画像処理が施された画像データは、イエロー（Ｙ）、マゼンタ（Ｍ）、シアン（Ｃ）、黒（Ｋ）（各８ｂｉｔ）の４色の画像データに変換され、図示しない複写機やプリンターなどの画像出力装置に出力されるように構成されている。また、上記の如く画像処理／制御回路３１で画像処理が施された画像データは、図示しないパーソナルコンピュータ等に出力され、当該パーソナルコンピュータで所望の処理が行われるように構成されても勿論良い。
【００２４】
ところで、この実施の形態では、原稿の画像を光源によって照明しつつ、当該原稿の画像を読取る走査光学系を所定の読取位置に停止させた状態で、前記読取位置を一定の速度で通過するように前記原稿を搬送しつつ、当該原稿の画像を読取る原稿移動読取モードを備えた画像読取装置において、前記読取装置筐体には、前記原稿移動読取モード時における読取位置に停止した前記光源を含む走査ユニットに接触し、当該光源を含む走査ユニットの熱を読取装置筐体へと伝達する熱伝導部材を設けるように構成されている。
【００２５】
すなわち、この実施の形態に係る画像読取装置は、図２に実線で示すように、原稿移動読取モード時に、第１走査ユニット２３が第２のプラテンガラス６下方の読取位置へと移動し、当該読取位置で停止した状態となっている。上記画像読取装置筐体１には、図１に示すように、第１走査ユニット２３が読取位置へと移動して停止した際に、当該第１走査ユニット２３の両側面にそれぞれ当接する熱伝導部材としての金属製の板バネ３２、３２が取り付けられている。
【００２６】
上記板バネ３２、３２は、金属のうちであっても、熱伝導率が高い銅やニッケル等の金属によって形成するのが望ましい。また、上記板バネ３２、３２は、第１走査ユニット２３との接触面積を大きくするため、図１中、図面に垂直な方向の幅が広いものを使用するのが望ましい。
【００２７】
また、上記板バネ３２、３２の基端部は、画像読取装置筐体１の金属製フレーム２に、ネジ止め等の手段によって取り付けられている。さらに、上記板バネ３２、３２は、第１走査ユニット２３に搭載された照明光源２１からの熱を、効率良く画像読取装置筐体１の金属製フレーム２側へ伝達するように、第１走査ユニット２３の両側面のうち、照明光源２１の近傍に当接するように配置されている。
【００２８】
以上の構成において、この実施の形態１に係る画像読取装置では、次のようにして、低コスト化及び省スペース化が可能であり、しかも原稿移動読取モード時に、光源の温度が上昇することに伴う光源の光量低下や光量のばらつき、及び読取位置近傍に配設された部材の温度が上昇することに伴う弊害を回避することが可能となっている。
【００２９】
すなわち、この実施の形態１に係る画像読取装置では、図２に示すように、原稿移動読取モード時に、第１及び第２走査ユニット２３、２６が画像読取装置筐体１の左端部へと移動し、当該第１走査ユニット２３が第２のプラテンガラス６の下方に位置する読取位置へと移動して停止する。
【００３０】
この状態で、上記画像読取装置は、図２に示すように、自動原稿搬送装置５の自動原稿搬送部９によって原稿３を一定の速度で搬送し、当該原稿３を一定の速度で第２のプラテンガラス６上を通過させるようになっている。その際、上記第１走査ユニット２３は、照明光源２１を点灯させて、第２のプラテンガラス６上を一定の速度で移動する原稿３の画像を照明しつつ、当該原稿３からの反射光像を、当該第１走査ユニット２３のフルレートミラー２２、及び第２走査ユニット２６の２枚のハーフレートミラー２４、２５によって反射し、結像レンズ２７を介してＣＣＤセンサー２８上に走査露光することにより、原稿３の画像がＣＣＤセンサー２８によって読取られる。
【００３１】
このとき、上記第１走査ユニット２３に搭載された照明光源２１は、原稿移動読取モード時において、常時点灯した状態となるため、当該照明光源２１の温度が上昇し、照明光源２１の熱によって第１走査ユニット２３自体が加熱され、第１走査ユニット２３の温度も上昇することになる。
【００３２】
ところで、この実施の形態１では、原稿移動読取モード時における第１走査ユニット２３の読取位置において、当該第１走査ユニット２３の両側面に当接するように、板バネ３２、３２が画像読取装置筐体１の金属製フレーム２に設けられている。そのため、上記照明光源２１によって加熱された第１走査ユニット２３の熱は、２枚の板バネ３２、３２を介して画像読取装置筐体１の金属製フレーム２に伝達されて逃げるため、第１走査ユニット２３及び照明光源２１の温度が不本意に上昇するのを防止することができる。
【００３３】
そのため、この実施の形態１では、第１走査ユニット２３及び照明光源２１の温度が不本意に上昇することがないので、原稿移動読取モード時に、照明光源２１の温度が上昇することに伴う光源の光量低下や光量のばらつき、及び読取位置近傍に配設された第２のプラテンガラス６等の部材の温度が上昇することに伴う弊害を回避することが可能となっている。
【００３４】
また、この実施の形態１では、画像読取装置筐体１の金属製フレーム２に板バネ３２、３２を設けるだけで良いため、照明光源２１の全長にわたる増反射部材や、当該増反射部材と一体的に照明光源の発する熱を外部へ放熱する放熱手段を設ける必要がなく、低コスト化及び省スペース化が可能となっている。
【００３５】
なお、この実施の形態１では、熱伝導部材として金属製の板バネ３２、３２を用いた場合について説明したが、これに限定される訳ではなく、熱伝導部材としては、図３に示すように、金属製、又は充填剤を充填することにより熱伝導率をアップした合成樹脂製などの立体状の熱伝導部材３３、３３を用いても良い。この場合には、第１走査ユニット２３との接触面積を大きく設定することができ、熱伝導効率を一層向上させることができる。
【００３６】
実施の形態２
図４及び図５はこの発明の実施の形態２を示すものであり、前記実施の形態１と同一の部分には同一の符号を付して説明すると、この実施の形態２では、前記熱伝導部材は、前記原稿移動読取モード時における読取位置に停止した前記光源を含む走査ユニットを、当該読取位置に保持する機能を備えるように構成されている。
【００３７】
すなわち、この実施の形態２では、図４に示すように、熱伝導部材が金属製の板バネではなく、金属製の偏心コロ４０、４０によって形成されている。この偏心コロ４０、４０は、画像読取装置筐体１の金属製フレーム２に設けられた支持部材４１に回転自在に取り付けられている。また、上記偏心コロ４０、４０は、その外径が一定の円柱形状ではなく、段差部４２を介して、反時計回り方向に沿って徐々に外径が大きくなるように形成されている。
【００３８】
そして、この実施の形態２では、図５（ａ）（ｂ）に示すように、第１走査ユニット２３が読取位置に移動すると、当該第１走査ユニット２３の側面２３ａが偏心コロ４０、４０の偏心した外周面４０ａに接触して、第１走査ユニット２３の移動に伴って偏心コロ４０、４０が回転し、図５（ｃ）に示すように、第１走査ユニット２３が読取位置に停止すると、偏心コロ４０、４０の外径の大きな外周面４０ａが、第１走査ユニット２３の両側面２３ａに当接して、第１走査ユニット２３を挟んだ状態で保持するように構成されている。
【００３９】
そのため、従来の画像読取装置では、原稿移動読取モード時に、第１走査ユニット２３を読取位置に停止させるために、当該第１走査ユニット２３を駆動する図示しない駆動モータに通電して励磁した状態に維持する必要があったが、偏心コロ４０、４０によって第１走査ユニット２３を読取位置に停止した状態で保持することにより、駆動モータへの通電を遮断することができ、その分だけ消費電力を低減することが可能となっている。
【００４０】
なお、上記熱伝導部材としては、金属製の偏心コロ４０、４０に限らず、図６及び図７に示すように、画像読取装置筐体１の金属製フレーム２に揺動自在に取り付けられた金属製のリンク４５を用いても良い。このリンク４５は、その一端部に第１走査ユニット２３の先端面２３ｂと当接する当接部４５ａが設けられており、第１走査ユニット２３が読取位置に移動する際に、第１走査ユニット２３の先端面２３ｂが当接部４５ａに当接して、リンク４５が反時計回り方向に揺動して、当該リンク４５に一体的に設けられた把持用の腕部４５ｂが第１走査ユニット２３の両側面２３ａを把持するように、読取位置で保持するように構成されている。
【００４１】
この場合には、金属製のリンク４５によって第１走査ユニット２３を確実に保持できるとともに、当該第１走査ユニット２３との接触面積を大きくとることが可能となっている。
【００４２】
また、上記第１走査ユニット２３が読取位置から移動する際には、第１走査ユニット２３によって腕部４５ｂが押されて、リンク４５が時計回り方向に揺動して、把持状態が解除されるようになっている。なお、上記リンク４５は、図示しないコイルバネ等によって、時計回り方向に付勢することにより、第１走査ユニット２３の把持及び解除を一層確実に行えるように構成しても良い。
【００４３】
その他の構成及び作用は、前記実施の形態１と同様であるので、その説明を省略する。
【００４４】
実施の形態３
図８乃至図１０はこの発明の実施の形態３を示すものであり、前記実施の形態１と同一の部分には同一の符号を付して説明すると、この実施の形態３では、実施の形態２と同様に、前記熱伝導部材は、前記原稿移動読取モード時における読取位置に停止した前記光源を含む走査ユニットを、当該読取位置に保持する機能を備えるように構成されている。
【００４５】
また、この実施の形態３では、前記熱伝導部材は、前記原稿移動読取モード時における読取位置に設けられ、かつ前記光源を含む走査ユニットを副走査方向に沿って移動自在に案内するガイドレールの近傍において、当該光源を含む走査ユニットを原稿側へ近接させるように突出したものである。
【００４６】
すなわち、この実施の形態３では、図８に示すように、第１走査ユニット２３を副走査方向に沿って移動自在に案内するガイドレール２７の近傍において、当該第１走査ユニット２３を原稿３側へ近接させるように、熱伝導部材としての凸部５０、５１が突出するように設けられている。なお、上記熱伝導部材としての金属製の凸部５０、５１は、第１走査ユニット２３の長手方向に沿って両側にそれぞれ配設されている。
【００４７】
上記凸部５０、５１は、図９に示すように、第１走査ユニット２３の移動方向に沿った先端側に位置する凸部５０が、他方の凸部５１よりも高く設定されている。また、第１走査ユニット２３の下面には、画像読取装置筐体１側の凸部５０、５１と当接する金属製の脚部５２、５３が下向きに突設されており、第１走査ユニット２３の移動方向に沿った先端側に位置する脚部５２が、他方の脚部５３よりも短く設定されている。
【００４８】
そして、この実施の形態３では、図９（ａ）（ｂ）に示すように、第１走査ユニット２３が読取位置に移動して停止する際に、当該第１走査ユニット２３の下面に下向きに突設された金属製の脚部５２、５３が、画像読取装置筐体１に設けられた凸部５０、５１に乗り上げて、第１走査ユニット２３が原稿３側（上方）へ移動し、当該第１走査ユニット２３に搭載された照明光源２１によって原稿３を効率良く照明することが可能となっているとともに、第１走査ユニット２３の脚部５２、５３が、画像読取装置筐体１に設けられた凸部５０、５１と当接することによって、第１走査ユニット２３の熱を画像読取装置筐体１側に伝達することが可能となっている。
【００４９】
そのため、この実施の形態３でも、第１走査ユニット２３及び照明光源２１の温度が不本意に上昇することがないので、原稿移動読取モード時に、照明光源２１の温度が上昇することに伴う光源の光量低下や光量のばらつき、及び読取位置近傍に配設された第２のプラテンガラス６等の部材の温度が上昇することに伴う弊害を回避することが可能となっている。
【００５０】
また、この実施の形態３では、画像読取装置筐体１の金属製フレーム２に凸部５０、５１を設けとともに、第１走査ユニット２３に脚部５２、５３を設けるだけで良いため、照明光源２１の全長にわたる増反射部材や、当該増反射部材と一体的に照明光源の発する熱を外部へ放熱する放熱手段を設ける必要がなく、低コスト化及び省スペース化が可能となっている。
【００５１】
なお、上記画像読取装置筐体１側の凸部６０としては、図１０に示すように、その上端面が斜面状に形成されたものを用い、第１走査ユニット２３側の脚部６１としては、画像読取装置筐体１側の凸部６０と対向する斜面を有するものを用いても良い。この場合には、第１走査ユニット２３の原稿３側（上方）への移動を、より一層スムーズに行うことができる。
【００５２】
ところで、従来の画像読取装置では、第１のプラテンガラス４の表面に走査光学系の焦点位置が合っているため、当該第１のプラテンガラス４の表面に密着した状態で載置される原稿３の画像の読取画質は良好であるが、第２のプラテンガラス６上を移動する原稿３は、当該原稿３の画像の汚れ等を防止するために、第２のプラテンガラス６の表面から浮いた状態で走行するので、焦点が合わずにピントがボケた状態となり、原稿３の画像の読取画質が劣化していた。
【００５３】
これに対して、上記実施の形態３では、第１走査ユニット２３が読取位置に移動して停止する際に、当該第１走査ユニット２３が原稿３側（上方）へ移動することにより、これら第１走査ユニット２３及び第２走査ユニット２６等で構成される走査光学系の焦点位置（ピントが合う位置）も上方へ移動するので、第２のプラテンガラス６の表面から浮いた状態で走行する原稿３に対して、焦点を合わせることができ、原稿３の画像の読取画質が劣化するのを防止することができるという特有の効果を奏する。
【００５４】
その他の構成及び作用は、前記実施の形態１と同様であるので、その説明を省略する。
【図面の簡単な説明】
【００５５】
【図１】図１はこの発明の実施の形態１に係る画像読取装置の要部を示す平面構成図である。
【図２】図２はこの発明の実施の形態１に係る画像読取装置を示す断面構成図である。
【図３】図３はこの発明の実施の形態１に係る画像読取装置の変形例の要部を示す平面構成図である。
【図４】図４はこの発明の実施の形態２に係る画像読取装置の要部を示す平面構成図である。
【図５】図５はこの発明の実施の形態２に係る画像読取装置の動作を示す要部説明図である。
【図６】図６はこの発明の実施の形態２に係る画像読取装置の変形例を示す要部構成図である。
【図７】図７はこの発明の実施の形態２に係る画像読取装置の変形例を示す要部構成図である。
【図８】図８はこの発明の実施の形態３に係る画像読取装置の要部を示す側面構成図である。
【図９】図９はこの発明の実施の形態３に係る画像読取装置の動作を示す説明図である。
【図１０】図１０はこの発明の実施の形態３に係る画像読取装置の変形例を示す構成図である。
【符号の説明】
【００５６】
１：画像読取装置筐体、２１：照明光源、２２：反射部材、２３：第１操作ユニット、３２：熱伝導部材。
【図１】
2008079101.tif 000003
【図２】
2008079101.tif 000004
【図３】
2008079101.tif 000005
【図４】
2008079101.tif 000006
【図５】
2008079101.tif 000007
【図６】
2008079101.tif 000008
【図７】
2008079101.tif 000009
【図８】
2008079101.tif 000010
【図９】
2008079101.tif 000011
【図１０】
2008079101.tif 000012